(57)【特許請求の範囲】
【請求項１】
睫毛に組成物（４）を塗布するための塗布具（１０）であって、
支持棒（１２）と、
該支持棒の軸（２０）方向に連続して設けられ、少なくとも２つの独立した支持部（２２）を備えるブラシ（１４）と
より構成され、
個々の前記支持部は、個別の基部（４０）から、軸（２０）に対し放射状の方向に延びた突起（３４，３６）を備え、
個々の前記支持部の、少なくとも４つの連続した前記基部の少なくとも１つの群は、前記軸の周りに規則的な連続配列を形成し、
前記群に属する前記基部のうち２つは、前記連続配列の終点である２つの末端を形成し、
前記連続配列又は個々の連続配列において、少なくとも２つの前記基部（４０）は、前記連続配列が形成されたときに前記突起（３４，３６）がずれたパターンを有するように、前記軸（２０）方向の互いに異なる個別の位置に配置されており、
前記群又は個々の群における個々の突起（３４，３６）が、前記軸に垂直な平面内に延びている
ことを特徴とする塗布具。
【請求項２】
少なくとも１つの前記群において、前記基部（４０）が螺旋を形成している、請求項１に記載の塗布具。
【請求項３】
少なくとも１つの前記群において、前記基部（４０）が正弦波を形成している、請求項１又は請求項２に記載の塗布具。
【請求項４】
前記２つの支持部又は前記支持部のうち少なくとも２つの隣接した支持部（２２）が、前記軸（２０）に平行な並進移動により得られる互いの像である、請求項１〜３の少なくともいずれか１項に記載の塗布具。
【請求項５】
前記２つの支持部又は前記支持部のうち少なくとも２つの隣接した支持部（２２）が、前記軸（２０）に平行な並進移動と、前記軸（２０）周りにおける３６０°の倍数以外の角度の回転移動との組み合わせにより得られる互いの像である、請求項１又は請求項３に記載の塗布具。
【請求項６】
前記２つの支持部又は前記支持部のうち少なくとも２つの隣接した支持部（２２）が、前記軸（２０）に平行な並進移動と、前記軸（２０）周りにおける３６０°の倍数以外の角度の回転移動との組み合わせにより得られる互いの像である、請求項２に記載の塗布具。
【請求項７】
回転が、１８０°未満の角度で前記螺旋又は個々の螺旋と同じ方向に起こる、請求項６に記載の塗布具。
【請求項８】
回転が、１８０°未満の角度で前記螺旋又は個々の螺旋と異なる方向に起こる、請求項６に記載の塗布具。
【請求項９】
前記２つの支持部又は前記支持部のうち少なくとも２つの隣接した支持部（２２）が、前記支持棒の前記軸（２０）に垂直な軸周りの回転により得られる互いの像である、請求項１〜３の少なくともいずれか１項に記載の塗布具。
【請求項１０】
個々の支持部（２２）又は少なくとも１つの前記支持部において、連続配列を形成している群の数が２以上であり、
前記群は螺旋を形成している、請求項１〜９の少なくともいずれか１項に記載の塗布具。
【請求項１１】
前記支持部は、前記支持棒（１２）の肢（２１）に取り付けられ、
前記肢及び個々の支持部（２２）は、前記軸周りの少なくとも２つの異なる所定の相対角度位置の中から選ばれた位置に、前記肢に固定された前記支持部を保持することができるように配置され、
前記支持部の突起（３４，３６）の数は、異なる位置の数で割り切れない、請求項１〜１０の少なくともいずれか１項に記載の塗布具。
【請求項１２】
個々の支持部において、前記突起（３４，３６）の数は、少なくとも４本であり、
少なくとも２本の前記突起（３４）は、互いに同一で、かつ少なくとも２本の残りの前記突起（３６）とは異なる、請求項１〜１１の少なくともいずれか１項に記載の塗布具。
【請求項１３】
個々の支持部において、前記突起の少なくとも２本（３４，３６）は、各々異なる材料で作製され、特に異なる硬さを備える、請求項１〜１２の少なくともいずれか１項に記載の塗布具。
【請求項１４】
睫毛に組成物を塗布するための組合せ物（２）であって、
組成物用の容器（６）と、
請求項１〜１３の少なくともいずれか１項に記載の塗布具（１０）と
を備えることを特徴とする組合せ物。
【発明の詳細な説明】
【技術分野】
【０００１】
本発明は、睫毛に組成物を塗布するための塗布具、特に、マスカラに関する。
【背景技術】
【０００２】
マスカラ塗布具のブラシを、塗布具の支持棒に沿って順に積層された支持部を用いて作製することが知られており、例えば、特許ＦＲ２９０６６９２号に掲載されている。個々の支持部は１つ以上の突起を備え、支持部と支持棒を併せて成形することにより、支持棒の軸周りの異なる角度位置に支持部を配置することが可能である。
【発明の概要】
【発明が解決しようとする課題】
【０００３】
本発明の目的は、新型のブラシを提供することであり、特に、より設計の自由度を高め、ブラシの性能を向上させることである。
【課題を解決するための手段】
【０００４】
この目的を達成するために、本発明においては、睫毛に組成物を塗布するための塗布具であって、支持棒と、支持棒の軸方向に連続して設けられ、少なくとも２つの独立した支持部を備えるブラシとより構成され、個々の支持部は、個別の基部を有する突起を備え、個々の支持部の、少なくとも４つの連続した基部の少なくとも１つの群は、軸周りに規則的な連続配列を形成し、群に属する基部のうち２つは、連続配列の終点である２つの末端を形成している、塗布具を提供する。
【０００５】
従って、連続する支持部の配列を選択することにより、種々の構成を有するブラシを作製することが可能である。特に、以下のことが可能となる：他の領域よりも突起密度の高い領域をブラシ上に形成すること；個々の領域の位置を選択すること；又は、これら領域の密度差を選択することである。より密度の低い領域においては、大量のマスカラを溜めることが可能となり、従って、塗布のためのマスカラの保持部分を形成することが可能である。一方、より密度の高い領域は、睫毛の被覆効果、梳かし効果及び捌き効果を促進するとともに、塊の形成を防止する。
【０００６】
また、末端を形成する基部によって、連続配列における不連続部分が生じる。連続する支持部を配置させるのに伴い、この不連続部分によって、特定の数の支持部において、高密度及び低密度の突起領域の数を増加させること、又は、高密度領域の相対密度を増加させることが可能となる。従って、ブラシの設計に関して付加的なパラメータを使用することが可能であり、このパラメータによって、想定可能なブラシ構成数を増やし、より性能の高いブラシを作製することが可能となるため、特に、ブラシを使用して塗布される組成物に関連して、特に、優れた捌き効果又は梳かし効果を促進させる、又は１本１本の睫毛にボリュームを与えるために被覆効果を促進させることが可能となる。例えば、連続配列は、基部が曲線、特に一般的かつ明確な形状の曲線を形成し、上述の末端が曲線中において不連続部分又は切れ目部分を形成するような構成としてもよい。
【０００７】
連続配列又は個々の連続配列において、少なくとも２つの基部は、軸方向の互いに異なる個別の位置に配置されていることが好ましい。
【０００８】
このように配置することにより、特に、マスカラ塗布時においてユーザーが軸周りにブラシを回転させる場合の睫毛の捌き効果及び梳かし効果を促進させることが可能である。
【０００９】
１つの実施形態においては、少なくとも１つの群において、基部は螺旋を形成している。
【００１０】
このような曲線とすることにより、基部は支持棒の軸に垂直な異なる平面に規則的に配置されるため、一層梳かし効果及び捌き効果を向上させ、従って、塊が形成される危険性を低減することが可能である。
【００１１】
他の実施形態においては、少なくとも１つの群において、基部は正弦波を形成している。
【００１２】
本実施形態により、軸に垂直な異なる平面に均等に基部を配置させることが可能であるとともに、正弦波の極値部分に高密度領域を形成させることが可能である。
【００１３】
１つの実施形態においては、２つの支持部又は支持部のうち少なくとも２つの隣接した支持部は、軸に平行な並進移動により得られる互いの像である。
【００１４】
他の実施形態においては、２つの支持部又は支持部のうち少なくとも２つの隣接した支持部は、軸に平行な並進移動と、軸周りにおける３６０°の倍数以外の角度の回転移動との組み合わせにより得られる互いの像である。
【００１５】
回転は、１８０°未満の角度で螺旋又は個々の螺旋と同じ方向に起こる構成とすることが可能である。
【００１６】
また、回転は、１８０°未満の角度で螺旋又は個々の螺旋と異なる方向に起こる構成とすることが可能である。
【００１７】
１つの実施形態において、２つの支持部又は支持部のうち少なくとも２つの隣接した支持部は、支持棒の軸に垂直な軸周りの回転により得られる互いの像である。
【００１８】
好ましくは、個々の支持部又は少なくとも１つの支持部において、連続配列を形成している群の数は２以上であり、群は、例えば螺旋を形成している。
【００１９】
連続配列の構成態様に応じて、これらの各々の特性により、高密度領域の数を増加又は減少させることが可能であり、また、高密度領域の密度を増加又は減少させることが可能である。しかしながら、種々のブラシ構成は、単一の型の支持部、少なくとも互いに同一構造の像である支持部を用いて得られる。
【００２０】
好ましくは、群又は個々の群における個々の突起は、軸に垂直な平面内に延びている。
【００２１】
このような構成により、使用時における睫毛の梳かし効果及び相互の捌き効果が促進される。
【００２２】
好ましくは、個々の支持部は、軸に平行ないかなる対称面をも備えないように構成され、実際に対称面を備えない。
【００２３】
個々の支持部においては、３６０°の倍数以外の角度をもつ回転であって、この回転により支持部が自分自身の像となるような回転が存在しないように構成することが好ましい。
【００２４】
従って、支持棒の軸周りに支持部を回転させた場合、支持部が完全に一回転しない限り、同じ配列の突起は見られない。従って、支持棒に対する支持部の各々の方向は、その方向に特有かつ異なる突起の構成に関連している。結果として、ブラシ設計の際に付加的な自由度が得られる。
【００２５】
個々の支持部においては、３６０°の倍数以外の角度をもつ回転であって、この回転により支持部が自分自身の像となるような回転が存在しないように構成することが好ましい。
【００２６】
支持部は、支持棒の肢に取り付けられ、肢及び個々の支持部は、軸周りの少なくとも２つの異なる所定の相対角度位置の中から選ばれた位置に、肢に固定された支持部を保持することができるように配置され、支持部の突起の数は、異なる位置の数で割り切れない構成とすることが好ましい。
【００２７】
この特性は、上述の特性を向上させる方法の１つである。
【００２８】
個々の支持部において、突起の数は少なくとも４本であり、少なくとも２本の突起は互いに同一でかつ少なくとも２本の残りの突起とは異なる構成とすることが好ましい。
【００２９】
従って、単一の支持部上で、一部の突起は組成物の保持を促進し、他の突起は睫毛の梳かし効果及び捌き効果を促進させる。
【００３０】
個々の支持部において、突起の少なくとも２本は、各々異なる材料で作製され、特に異なる硬さを備える構成とすることが可能である。
【００３１】
硬い材料により作製された突起は、他の突起に比べ捌き効果が高い。より柔らかい材料により作製された突起は、組成物を溜める効果が高い傾向がある。従って、これら２種の機能が単一の支持部において得られる。また、連続する支持部の配置を変更することにより、組成物を保持する領域、及び睫毛を捌く領域の構成を選択することが可能となる。
【００３２】
また、本発明は、睫毛に組成物を塗布するための組合せ物であって、組成物用の容器と、本発明に係る塗布具とを備える組合せ物を提供する。
【図面の簡単な説明】
【００３３】
本発明の他の特徴及び効果は、添付の図面を参照し、限定されない例を用いて、以下のいくつかの実施形態の記述の中で、より詳細に説明される。
【図１】図１は、本発明の実施形態における組合せ物の縦断面図である。
【図２】図２は、図１の組合せ物の塗布具の正面図である。
【図３】図３は、図２の塗布具のブラシの部分図である。
【図４】図４は、図３のブラシの支持部の１つの斜視図である。
【図５】図５は、図３のブラシの支持部の１つの平面図である。
【図６】図６は、図３のブラシのコア部の一部の展開図であり、突起の基部の配置を示す。
【図７】図７は、他の実施形態におけるブラシを示す、図６と同様の展開図である。
【図８】図８は、他の実施形態におけるブラシを示す、図６と同様の展開図である。
【図９】図９は、他の実施形態におけるブラシを示す、図６と同様の展開図である。
【図１０】図１０は、他の実施形態におけるブラシを示す、図６と同様の展開図である。
【図１１】図１１は、他の実施形態におけるブラシを示す、図６と同様の展開図である。
【図１２】図１２は、他の実施形態におけるブラシを示す、図６と同様の展開図である。ただし、添付の図は、軸周りの連続した支持部の配置を示す。
【図１３】図１３は、他の実施形態におけるブラシを示す、図６と同様の展開図である。
【発明を実施するための形態】
【００３４】
〈第１の実施形態〉
図１は、睫毛又は眉毛にも組成物４を塗布するための組合せ物２を示している。本実施形態においては、組成物４はマスカラである。組合せ物２は組成物を収容する容器６を含み、この容器は一般的には円筒形状を有しており、その上部には容器の最大径よりも小さな最大径を有するネック８が延びている。組合せ物２は塗布具１０を含み、また、図２に示すように、塗布具１０は支持棒１２を備え、支持棒１２の一方の端部にはブラシ１４、もう一方の端部にはグリップ部１６が備えられている。図１に示すように、容器のネックにグリップ部をネジ締めすることにより、グリップ部１６は容器６の蓋としても使用される。この位置においては、支持棒１２はネック８を挿通し、ブラシは容器に収容された組成物４に浸漬されている。ネックの下端部に備えられたしごき部材１８は、例えば可撓性材料で作製され、塗布具を容器から引き抜く間にブラシから過剰の組成物を取り去る機能を有している。
【００３５】
組合せ物が有している長手方向の軸２０は、一般的には組合せ物の、特には塗布具の、具体的には支持棒１２及びブラシ１４の、円対称軸を一般に形成する。
【００３６】
ブラシ１４は、図３により詳細に示されている。支持棒１２は延長部を有し、肢２１を形成している。肢２１は支持棒と同じ軸上に位置しているが、直径は支持棒より小さいため、支持棒は肢の開始部で肩を形成している。支持棒と肢は一体型の部品として形成されてもよく、互いに嵌合可能な二つの独立した部品として形成されてもよい。
【００３７】
ブラシは、その長さの少なくとも大部分にわたって、軸２０方向に沿って順にスライドされ、肢２１上に積層された環状の支持部２２により形成される。連続した支持部は軸方向の端面を介し互いに接触しており、個々の支持部は隣の２つの支持部と隣接している。この構成においては、支持部は互いに同一のものである。本実施形態においては、個々の支持部が備えるコア部２４は、具体的には円板形状を有し、従って上面２６、底面２８、及び軸２０に垂直な平面において円形断面を有する円筒状の側面３０を有している。
【００３８】
個々の支持部２２は、軸２０について同軸である。軸２０の開口部３２は個々の支持部を挿通し、軸の垂直面内に円形ではない形状、具体的には正方形の形状を有している。肢２１は開口部３２の形状と相補的な形状、すなわち正方形のような形状を有する。肢と開口部３２の相補的な形状によって、支持部２２は肢上をスライドし、肢に対して軸２０周りの支持部の４つの異なる所定の角度位置、すなわち、４分の１回転ごとに互いに独立した位置から選ばれた、いずれの位置をも占めることが可能である。支持部は、支持棒１２と支持棒１２から延びた肢２１の接合部に形成された肩に対し、軸方向に積層される。また、その他の構成とすることも可能である。
【００３９】
個々の支持部２２が備える突起は、本実施形態においては、具体的には各々「剛毛」３４と「歯」３６と称される２種類の独立した繊維を形成している。本実施形態においては、個々の支持部２２は１０本の同一の剛毛３４と３本の同一の歯３６とにより構成される１３本の繊維を備える。本実施形態においては、剛毛３４及び歯３６は同じ長さを有する。また、本実施形態において、個々の繊維は軸２０に対し放射状の方向に延び、軸に垂直な平面内に位置している。本実施形態及び以下の実施形態において、剛毛３４は歯３６よりも数が多く、より細い形状を有している。
【００４０】
剛毛３４の各々は、一般的に円錐形状又は円錐台形状の幹３２を有し、錐体の直径は支持部２２から離れるに従って先が細くなっている。また、個々の剛毛３４は、１本以上の枝３６を含み、具体的には幹の両側に２本の枝が、コア部２４から離間して配置された幹３２の領域から延び、個々の枝はコア部２４から離れていく方向に、２本の近接した繊維に向かって延びている。本実施形態においては、枝と幹が軸２０の垂直な単一面内に配置されるように、これら２本の枝は延びている。このような突起形状はスノーフレーク形状と呼ばれることがある。
【００４１】
本構成においては、歯３６は各々直線的な円筒形状の幹により構成され、幹はその縦方向に垂直な平面内において円形の断面を有する。また、幹は円形の自由端を有し、各々が部分球形状を有している。
【００４２】
本実施形態においては、繊維３４，３６は、図５のように支持部を軸方向から見た場合に、軸２０周りに規則性を持って配置されている。従って、平面図において繊維の軸のみを考えた場合に、繊維３４，３６は軸２０周りに互いに等距離間隔をおいて配置され、そこから放射状に延びている。
【００４３】
本構成において、歯３６は互いに隣接しておらず、複数の剛毛３４、具体的には少なくとも３本の剛毛によって互いに分離されている。本実施形態においては、繊維の位置は時計の文字盤と同様に示されており、１２時の位置から始まって時計回りの方向に１から１３まで番号付けされている。図５において、剛毛３４は各々１３°、７０°、９８°、１２６°、１８２°、２１０°、２３６°、２６２°、３１７°及び３４５°の位置に配置されている。歯３６は４０°、１５３°及び２９０°の位置に配置されている。
【００４４】
平面図における繊維の位置については、上記に詳述されている。次に、図３、図４及び図６に示すように、軸２０方向の繊維の位置について以下説明する。コア部２４に接続される個々の繊維の末端は基部４０として示されている。図６は、４つの連続する支持部２２によって形成されたブラシ部分のコア部の円筒図法又は展開図である。剛毛３４の基部は白丸で、歯３６の基部は黒い正方形で表示されている。従って、この図において軸２０は垂直方向に相当し、また水平方向は各々のコア部２４の円周に相当する。
【００４５】
以降の図においても同様に、図６において、支持部２２の各々に対して格子状パターンが表示されており、このパターンは繊維に対応する１３本の水平線を含んでおり、コア部２４の表面に相当する末端線は考慮しない。またパターンは繊維に対応する１３本の垂直線を含んでおり、実際には左端線と一致する右端線は考慮しない。
【００４６】
本実施形態において、支持部の繊維は全て、基部４０が軸２０周りに規則的な連続配列を形成するように配置されている。具体的には、螺旋状の連続配列で、図６のように一度展開すると、垂直及び水平方向に対して傾きを有する直線上の連続配列となる。支持部２２の繊維３４，３６は全てこの螺旋を形成する役割を有する。従って、各々の支持部において、繊維は軸に対して垂直にかつ全て互いに異なる個別の平面内に延びている。特に、格子状パターンの個々の垂直線又は水平線は１本の繊維と交わっている。
【００４７】
従って、例えば支持部２２を図５のように平面図で見た場合に、例えば軸２０に対して平行な、特に軸２０に対して放射状のいかなる対称面も対称軸も存在しないような構成が得られる。また、例えば軸２０周りに、３６０°の倍数以外の回転角であって、この回転により支持部２２が自分自身の像となるような回転角は存在しない。また、繊維の本数は、本実施形態では１３本であるが、支持部が肢上で軸周りに占め得る位置の数、すなわち本実施形態においては４つの位置の数では割り切れない。この点において、本構成のように、繊維の本数として素数を選ぶことが有用である。
【００４８】
剛毛８番，９番の基部は、図４における螺旋の末端と、図６における直線の末端とを構成している。これらは、コア部２４の軸末端面に最も近接の剛毛である。螺旋と連続配列はこれらの基部の各々において終了する。従って、連続配列には、対象の２本の剛毛のうちの１本からもう１本へ直接移動した場合に、切れ目部分又は不連続部分が存在する。これら２本の剛毛は、図４においては手前に向かって延びているものである。
【００４９】
また、本実施形態において、ブラシの連続する支持部２２は軸２０方向の対応する配置を占める。より正確には、個々の支持部２２は、軸２０方向の並進移動によって得られるすぐ隣の支持部と同一構造をもつ像である。また、支持部２２の螺旋は、ブラシの全長に渡って１本の螺旋を形成するように互いに連続して延びている。格子状パターンの垂直線は互いに一直線上に並んでいる。
【００５０】
従って、螺旋の下端である８番の剛毛は、軸２０に平行に並んでいる。上端の剛毛９番も同様である。特にこの状態は図６から理解することができる。より一般的には、本実施形態において、支持部２２の個々の基部は、対応する他の支持部の（すなわち、同じ番号を有する）基部の全てと、一列に並んでいるため、支持部により形成されるブラシ部分において、軸２０に平行かつ同じ繊維本数を有する列が形成されている。従って、剛毛３４によって全体が形成された列と、歯３６によって全体が形成された列とを識別することが可能である。個々の列の中で、繊維は互いに規則的に離間されて配置されている。
【００５１】
本実施形態において、より繊維密度が高い領域４４は、個々の支持部２２の螺旋状の連続配列によって形成される。一方、より繊維密度が低い領域は、連続配列間の空間４２によって形成される。従って、より密度が高い領域は比較的小さく密集しており、より密度が低い領域はブラシ上の比較的大面積を占めている。
【００５２】
本実施形態の支持部２２の連続配列によって形成される以外のブラシの末端部分が提供されてもよい。例えば、射出成形により一体型部品として作製され、ブラシの自由端に向かって先が細くなる直径を有し、肢２１に適合するような、剛毛を有する末端部分を使用してもよい。
【００５３】
〈第２の実施形態〉
本発明の組合せ物の第２の実施形態を図７に示す。上述の実施形態と異なるのは、支持部２２の相対的な配置のみであり、支持部は第１の実施形態の支持部と同一のものである。本第２の実施形態において、支持部２２は各々の支持部が連続配列において前の支持部に対して４分の１回転分ずれるように配置されている。換言すると、個々の支持部２２は、支持部の長さと同じ長さを、軸２０方向へ並進移動するとともに、軸周りに、具体的には４分の１回転移動することによって得られる、先行する支持部と同一構造の像である。回転の方向及び角度はブラシ全体に渡って同じであるため、ブラシは、軸方向に沿って４つの支持部２２に相当する周期性を有する。また、回転の方向は、個々の支持部の螺旋の方向と同じである。
【００５４】
前記実施形態に対し、このように構成されたブラシは、軸に平行かつ同じ繊維本数を有する繊維列によっては構成されない。１つの支持部２２の繊維は、次の支持部の連続配列の繊維のいずれとも一列に並ぶことはない。また、これらの格子状パターンにおける垂直線についても同様である。また、ブラシの軸周りに関して、９０°、１８０°、２７０°及び３６０°に相当する位置を破線で示している。
【００５５】
特に、図７から判るように、１つの支持部２２における螺旋の上端は、次の支持部における螺旋の下端と直接連続するわけではないため、水平方向に空間が形成されている。従って、組成物を保持するのに適した空間領域４２がこれらの位置に形成される。一方、比較的繊維密度が高い領域４４は軸方向に沿って連続した螺旋間に形成される。
【００５６】
図７に示す実施形態に係るブラシを使用した場合、図６に示す実施形態の場合と比較して、化粧効果に関しては、ユーザーによるブラシの動かし方により大きく左右される。
【００５７】
〈第３の実施形態〉
図８に示すように、第３の実施形態において、前記実施形態と異なる点は、軸２０周りに互いに支持部をずらす際の回転方向が、個々の支持部における基部によって決定される螺旋方向と逆方向であるという点のみであり、回転角度は９０°のままである。従って、個々の支持部の螺旋の上端９番は、すぐ上に位置する支持部の螺旋の下端に対し、前向きすなわち螺旋の回転方向に延びている。本実施形態においては、仮に回転方向を前記実施形態と同じとして、回転角度を２７０°に変更した場合と状況が同じとなることを理解されたい。
【００５８】
特に図８から判るように、螺旋の上端の１１番、１０番及び９番の番号が付された３本の繊維の部分集合は、螺旋の軸方向において、次の支持部上の螺旋の下端の８番、７番及び６番の番号が付された３本の繊維に極めて近い。
【００５９】
従って、比較的近くに集まった６本の繊維束が形成され、これらの基部は平行四辺形を形成している。従って、特に繊維密度の高いあるいは繊維が密集した領域４４が形成され、睫毛の優れた捌き効果及び梳かし効果を提供するのに適している。図８の４つの支持部２２は、このような領域４４を全部で３カ所形成していることが判る。また、それにもかかわらず、本構成によれば、ブラシは、繊維がなく、従って組成物の保持領域を形成する大領域４２を含んでいる。
【００６０】
〈第４の実施形態〉
図９に示す第４の実施形態においては、支持部２２は前記実施形態における支持部とは異なっている。本実施形態においては、基部４０は軸周りに１つではなく２つの規則的な連続配列を形成し、個々の連続配列は、２つの基部によって形成される２つの末端を有する。個々の末端は対応する連続配列の終点である。本構成において、２つの連続配列の各々は螺旋状の形状を有し、この２つの螺旋は同じピッチでかつ同じ回転方向を有している。また、個々の基部は連続配列のうちの１つのみの部分を形成している。本実施形態においては、平面図では、支持部２２は第１の実施形態において説明した、図５の支持部２２の配置と同じ配置を有している。軸周りの７つの連続した基部が、第１の連続配列を形成し、別の６つの基部が第２の連続配列を形成している。第１の螺旋は、８番の剛毛３４によって形成される下端と、２番の歯３６によって形成される上端を有している。第２の螺旋は、１番の剛毛によって形成される下端と、９番の剛毛３４によって形成される上端を有している。従って、周方向において、第２の螺旋が始まる前に第１の螺旋は終了する。
【００６１】
また、本構成において、２つの螺旋の下端８番及び１番は、軸２０に垂直かつ互いに近接した２つの平面内に延びている。各々の螺旋の次の２つの基部についても同様である。従って、マスカラを塗布する際に各々の睫毛が２本以上の繊維に遭遇する可能性が高くなる。ブラシに軸２０周りに例えば１２０°の回転を加えて塗布するのはユーザーが通常行う方法である。この程度回転を加えれば十分確実に、各々の睫毛はブラシに接触している間に少なくとも２本の繊維と遭遇する。また、このブラシの構成により、この２本の繊維は、２本の剛毛３４か、順に歯３６と剛毛３４か、又は順に剛毛３４と歯３６である。
【００６２】
また、図８の実施形態と同様に、支持部２２は、個々の支持部の２つの螺旋の回転方向と反対方向に軸２０周りに４分の１回転することにより、互いにずれた配置を有している。このような反対方向の回転により、７本の近接した繊維により構成された螺旋の上端は次の支持部上の６本の繊維により構成された下端に近接している。従って、ブラシは、比較的繊維密度の高い領域４４と密度の低い領域４２とを有する。
【００６３】
〈第５の実施形態〉
図１０に示す第５の実施形態は、様々な点で前記実施形態と同じである。特に、２つの連続配列は、各々同じピッチでかつ同じ回転方向の螺旋であり、平面図においては、支持部２２は図５の構成と同じ構成を有する。しかしながら、第１の連続配列を形成するのは軸周りの７本の連続した繊維ではなく、また、第２の連続配列を形成するのも残りの６本の繊維ではない。最も低い繊維８番から始めて支持部の周方向に進んだ場合、繊維は第１及び第２の螺旋の部分構造を交互に形成している。従って、第１の螺旋は繊維８番（連続配列の下端）、６番、４番、２番、１３番、１１番及び９番（連続配列の上端）により形成され、第２の螺旋は７番（連続配列の下端）、５番、３番、１番、１２番及び１０番（連続配列の上端）により形成される。第１の螺旋を形成する繊維群は下方に延び、軸上の垂直方向に対して第２の螺旋を形成する繊維群に向かい合っている。どの繊維も垂直及び／又は水平方向に沿って他の繊維と一列に並んでいない。特に、軸方向に沿って比較的可動性のある２つの型に分けて成形することにより、アンダーカット又は抜き勾配といった問題を生じることなく支持部２２を製造することが可能である。
【００６４】
比較的繊維密度が高い領域４４と、密度が低い領域４２も存在する。
【００６５】
〈第６の実施形態〉
第６の実施形態を図１１に示す。個々の支持部２２はまた、図５の構成と同じ構成を有している。しかしながら、本実施形態においては、支持部の全ての基部の連続配列は軸周りの２つの連続した直線部分により形成されるジグザグの破線を形成する。直線の周期はコア部２４の表面３０の外周には対応していない。また、直線は、繊維８番及び９番において連続配列の終点であり、最小値となる２つの末端を有する。また、直線は、繊維２番において単一の最大値を通る。また、支持部は、軸周りに４分の１回転ずらして配置されている。本実施形態において、高密度領域４４と低密度領域４２の対比は、各々の直線の最大値が隣接する支持部の最小値と近接することを考慮すると、特に明白である。最大値を与える繊維２番以外の、１つの部分の個々の繊維は、他の部分の１本の繊維と同じ水平線上に延びている。従って、これらの繊維の両方は、化粧を施す際のブラシの回転運動の間に同じ位置で睫毛を通過する。
【００６６】
〈第７の実施形態〉
第７の実施形態を図１２に示す。個々の支持部２２はまた、図５の構成と同じ構成を有している。しかしながら、本実施形態においては、支持部の全ての基部の連続配列は正弦波と同様の曲線を形成する。正弦波の周期はコア部２４の表面３０の外周には対応せず、正弦波は不完全である。従って、前述の連続配列と同様に連続配列は終点である２つの末端を有する。本構成において、正弦波は０°から２７０°の範囲に及ぶ。なお、これらの角度は正弦関数の角度であり、軸２０周りに測定した角度ではない。正弦波は、９番の剛毛３４によって構成され、末端を形成する最小値から開始する。正弦波は、各々１３番と５番の剛毛３４によって形成される最大値と新しい最小値を経由し、８番の剛毛によって形成される末端によって終了する。
【００６７】
また、支持部の配置は、個々の支持部が隣接する支持部に対し逆方向の又は反転した配置を占めるようになっている。換言すると、個々の支持部は、軸２０に垂直でかつ支持部間の界面を形成する平面内に延びる軸周りに１８０°回転して得られる、先行する支持部の像である。
【００６８】
また、回転又は反転軸は全てが互いに平行とは限らない。図１２は、４つの連続する支持部の配置を、各々の支持部を４つの部分円１，２，３，４に区別して示している。連続する下部の２つの支持部に関連する回転軸５０も同時に示されている。回転軸５０は４番
の剛毛の軸を通過する。回転軸５２は、２番目の支持部から３番目の支持部への移動を与え、１番の剛毛の軸を通過する。回転軸５４は、３番目の支持部から４番目の支持部への移動を与え、４番の剛毛の軸を通過する。
【００６９】
高密度領域４４は、向かい合う正弦波部分の間に位置し、低密度領域４２は、各々の正弦波により形成される凸部分に位置し、本実施形態においても両領域の差異は明確である。
【００７０】
また、図１２から判るように、軸２０に垂直な一部の平面は、どの繊維とも交わらない。また、各々１本の繊維と交わる平面、２本の繊維と交わる平面、及び３本の繊維と交わる平面が存在する。３本の繊維は３本の剛毛３４、又は２本の歯３６及び１本の剛毛３４であり得る。また、図９の実施形態においては、単一平面の繊維間の円周方向の間隔は比較的規則正しく、また平面間で比較的一定である。本実施形態においては、同様の態様とはなっていない。従って、単一平面の繊維の一部は比較的近接している一方、他の繊維は互いに大きく離間している。そして、この平面が３本の繊維を含む場合は、３本目の繊維に比べ、２本の繊維が互いに近接している。従って、その軸に沿って、組成物を保持するのにより適したブラシ部分が存在する一方、睫毛を梳かし、かつ捌くのに適したブラシ部分が存在する。
【００７１】
〈第８の実施形態〉
第８の実施形態を図１３に示す。支持部２２は互いに同一であり、図５と同じ構成を有するが、下記の通り２本繊維が足りない点のみが異なっている。支持部は、図１１と同様に、並進移動及び４分の１回転移動により得られた互いの同一構造の像となる。個々の支持部の全ての繊維は、例えば部分的な正弦波の様な曲線又は破線を形成する。曲線は、支持部周りの円周方向に進むにつれて、繊維の位置が支持部の底面から徐々に離れるような、徐々に曲率が増加する曲線である。しかしながら、１番及び１２番の繊維は存在せず、これらの繊維があるべき場所は空の状態である。従って、８番から２番までの繊維のみが規則的な連続配列を形成しており、８番及び２番の繊維がこの連続配列の終点となる末端を形成している。１３番、１１番、１０番及び９番の繊維は連続配列からは外れている。依然として、より密度の高い領域４４及びより密度の低い領域４２が存在する。
【００７２】
全ての実施形態において、支持部２２は互いに独立に成形することにより製造可能である。
【００７３】
本実施形態において、歯３６は剛毛３４よりも硬く、従って剛毛は歯よりも柔軟である。ショアＤ硬さが３０〜４５の範囲にある材料から剛毛を作製し、ショアＤ硬さが３０〜７５の範囲にある、例えば４５に等しい材料から歯３６を作製することが可能である。剛毛と歯のショアＤ硬さにおいては、５程度の差があれば十分であり得る。また、同じ硬さを持たせることも可能である。
【００７４】
本実施形態において、剛毛３４と歯３６は、異なる材料により作製される。具体的には、例えばＤｕｐｏｎｔ社製Ｈｙｔｒｅｌ（登録商標）などの熱可塑性エラストマーポリエステルであり得る。
【００７５】
ユーザーが化粧を施す際にブラシに回転運動を加えると、時に高密度領域によって、また時に低密度領域によって、すなわち、時に梳かし効果を促進する領域によって、また時に組成物を大量に保持する領域によって、睫毛は処理されることになる。また、睫毛は、時に硬い繊維に、また時に柔らかい繊維に接触する。
【００７６】
ブラシの形状及び性質が、特定の組成物の組成にのみ最大限の効果を与える場合が多いことを考慮すると、本発明によれば、ブラシに適用可能な構成数が増加し、従って個々の組成に適用可能なブラシの製造が容易となる。
【００７７】
コア部２４は、軸２０方向に沿って０．５ミリメートル（ｍｍ）〜５ｍｍの範囲の、例えば１ｍｍに等しい高さを有し得る。本構成において、支持部の全直径は７．５ｍｍに等しい。例えば支持部の全直径は５ｍｍ〜１５ｍｍの範囲であり得る。
【００７８】
当然のごとく、本発明の範囲を逸脱しなければ、本発明に様々な変形を加えることが可能である。
【００７９】
個々の支持部２２の肢及び開口部は、軸に垂直な平面内の正方形以外の形状を有することも可能である。多角形状又は刻み目のある形状（ｃｒｅｎｅｌａｔｅｄ）を有し得る。支持部が軸周りの異なる所定の角度位置を占めることが可能であれば、そのような位置の数は２，３，４，５以上に等しくなり得る。支持部２２が摩擦によって肢上に確実に固定された状態が保持されるよう十分強固な接触状態が得られる場合、個々の支持部２２の肢及び開口部は、軸に垂直な平面内において円形を有することも可能である。この場合、軸２０周りの肢上の支持部の角度位置としては選択肢は無限にあり得る。連続する支持部２２の相対位置についても同様である。コア部の円筒形の外表面３０は、軸２０に垂直な平面において必ずしも円形を有している必要はない。形状は多角形、例えば正方形又は楕円形とすることが可能である。
【００８０】
支持部の少なくとも１本の突起が軸２０に垂直でない平面内に延びている構成とすることが可能である。
【００８１】
剛毛３４が歯３６よりも硬い構成とすることが可能である。より一般的には、繊維の硬さは、断面形状の選定又は原料となる材料の選定により決定され得る。この場合、細く硬い剛毛は睫毛に対して優れた梳かし効果を、また一方で、太く柔軟な歯は組成物をより多く保持する効果を示すはずである。
【００８２】
前記実施形態においては、歯の本数は３本であるが、この本数は、例えば１本、２本、３本、４本又は５本のように変更することが可能である。個々の支持部に備えられた歯の本数は、剛毛の本数よりも少ないことが好ましい。剛毛の本数は７〜１５本の範囲である。
【００８３】
上には記載していないが、剛毛及び歯は長さが異なっていてもよい。
【００８４】
異なる支持部２２を肢上で順にスライドさせてもよい。
【００８５】
例えば、突起により形成される連続配列は、放物面形状（ｐａｒａｂｏｌｏｉｄａｌ）、楕円形状、階段形状の構成とすることが可能である。
【００８６】
剛毛及び歯は異なる色を有する構成とすることが可能である。
【００８７】
個々の支持部２２が、長さ、材料、硬さなどの少なくとも１つの態様において互いに異なる少なくとも３本の突起を備える構成とすることが可能である。また、支持部２２の全ての突起が互いに同一の構成とすることが可能である。
【００８８】
個々の支持部上で個々の突起が軸に垂直な平面内に延び、少なくとも２つの基部が互いに異なる軸に沿って個別の位置に配置されながらも、一方で軸周りに規則的な連続配列を形成するような、支持部の少なくとも４つの連続する基部の群が存在せず、群内の２つの基部が連続配列の終点である２つの末端を形成する、塗布具を提供することが可能である。
【図１】
0005998160.tif 000002
【図２】
0005998160.tif 000003
【図３】
0005998160.tif 000004
【図４】
0005998160.tif 000005
【図５】
0005998160.tif 000006
【図６】
0005998160.tif 000007
【図７】
0005998160.tif 000008
【図８】
0005998160.tif 000009
【図９】
0005998160.tif 000010
【図１０】
0005998160.tif 000011
【図１１】
0005998160.tif 000012
【図１２】
0005998160.tif 000013
【図１３】
0005998160.tif 000014